(57)【要約】【課題】作業者の視界を良好に維持して作業の効率を良くすることができる歯科技工装置を提供する。【解決手段】補綴物を切削する際の作業台１２をカバー部１９で覆うことで作業空間３を形成し、作業者が作業空間３を外側から観察するための観察面２５をカバー部１９に形成し、作業台１２に第一噴射部１３および第二噴射部１５を取り付けると共に吸気口１８を設ける。第一噴射部１３から観察面２５に向けて噴射させた空気が、カバー部１９に沿って流れる下流に吸気口１８を配置する。さらに第二噴射部１５から吸気口１８に向けて空気を噴射する。【選択図】図１
2017217043.tif 000002
【特許請求の範囲】
【請求項１】
歯冠補綴に用いられる補綴物を切削する際の作業空間を覆うと共に、作業者が前記作業空間を外側から観察するための観察面が備えられたカバー部と、
前記作業空間に備えられると共に前記観察面に向けて空気を噴射する第一噴射部と、
前記第一噴射部から噴射されて前記観察面から前記カバー部に沿って流れる空気の下流に備えられると共に、空気を切削屑と共に吸引する吸気口と、が備えられた、
ことを特徴とする歯科技工装置。
【請求項２】
前記カバー部がドーム形状である、
ことを特徴とする請求項１に記載された歯科技工装置。
【請求項３】
前記作業空間に備えられると共に前記吸気口に向けて空気を噴射する第二噴射部が備えられた、
ことを特徴とする請求項１または請求項２に記載された歯科技工装置。
【請求項４】
前記第一噴射部によって形成された気流を前記吸気口に向けて案内する誘導板が、前記カバー部に備えられた、
ことを特徴とする請求項１から請求項３のいずれか１項に記載された歯科技工装置。
【請求項５】
空気が噴射する向きを調節する調節構造が、前記第二噴射部に備えられた、
ことを特徴とする請求項３または請求項４に記載された歯科技工装置。
【請求項６】
前記観察面に帯電防止機能が備えられた、
ことを特徴とする請求項１から請求項５のいずれか１項に記載された歯科技工装置。
【請求項７】
前記観察面を除いた前記カバー部が非透過である、
ことを特徴とする請求項１から請求項６のいずれか１項に記載された歯科技工装置。
【請求項８】
前記第一噴射部および前記第二噴射部に外気を給気する給気手段が備えられた、
ことを特徴とする請求項３から請求項７のいずれか１項に記載された歯科技工装置。
【発明の詳細な説明】
【技術分野】
【０００１】
本発明は、歯冠補綴に用いられる補綴物を切削するための歯科技工装置に関するものである。
【背景技術】
【０００２】
一般的に、歯科医院などの医療施設において、例えば、欠けた歯を補うなどの歯科治療（以下、“歯冠補綴”と記す。）に用いられる人工の義歯（以下、“補綴物”と記す。）の作製は、作業において切削屑が飛散し、また、補綴物から臭気が発生するため、被施術者から離れた部屋で行われる。しかし、被施術者の歯に合った精密な補綴物を作製する必要があるため、被施術者への試着を繰り返しながら補綴物の形状を調節する際は、被施術者の近傍で作業が行われる。このように、施術者の近傍で補綴物を切削して加工するための装置として、下記特許文献１に記載された歯科用作業カプセルがある。この歯科用作業カプセルは、補綴物を切削する作業空間がケースで覆われ、この作業空間にエアノズルが備えられている。切削された補綴物の切削屑は、エアノズルから噴射された空気によって除去され、ケースの外側に排出される。
【先行技術文献】
【特許文献】
【０００３】
【特許文献１】特開平８−２８０７１６号公報
【発明の概要】
【発明が解決しようとする課題】
【０００４】
しかし、上記した歯科用作業カプセルによれば、除去された切削屑が作業空間の中を飛散し、また、カバーの内面に張り付くことにより、作業者の視界が遮られる場合がある。
【０００５】
本発明は、上記の実情に鑑みて提案されたものである。すなわち、作業者の視界を良好に維持して作業の効率を良くすることができる歯科技工装置の提供を目的とする。
【課題を解決するための手段】
【０００６】
上記目的を達成するために、本発明に係る歯科技工装置は、歯冠補綴に用いられる補綴物を切削する際の作業空間を覆うと共に、作業者が前記作業空間を外側から観察するための観察面が備えられたカバー部と、前記作業空間に備えられると共に前記観察面に向けて空気を噴射する第一噴射部と、前記第一噴射部から噴射されて前記観察面から前記カバー部に沿って流れる空気の下流に備えられると共に、空気を切削屑と共に吸引する吸気口と、が備えられた、ことを特徴とする。
【０００７】
すなわち、作業空間内で飛散した切削屑は、カバー部の内面に付着するが、本発明の構成により、第一噴射部から噴射された空気が観察面の内面に当たり、切削屑が観察面から除去される。観察面に当たった空気の下流には、吸気口が形成されているため、空気が観察面から吸気口に向けて流れ、この気流によって、切削屑が吸気口に吸引される。
【０００８】
本発明に係る歯科技工装置は、前記カバー部がドーム形状である、ことを特徴とする。この構成により、第一噴射部から噴射した空気がカバー部の内面に沿って流れるため、気流が円滑となり、円滑に切削屑が吸気口に集められる。
【０００９】
本発明に係る歯科技工装置は、前記作業空間に備えられると共に前記吸気口に向けて空気を噴射する第二噴射部が備えられた、ことを特徴とする。すなわち、第二噴射部から噴射された空気が吸気口に向けて流れるため、この気流によって、作業空間中で飛散した切削屑が吸気口に向けて流れ、吸気口に吸引される。
【００１０】
本発明に係る歯科技工装置は、前記第一噴射部によって形成された気流を前記吸気口に向けて案内する誘導板が、前記カバー部に備えられた、ことを特徴とする。すなわち、第一噴射部から噴射された空気がカバー部に沿って流れる際、気流が誘導板に沿って吸気口に案内される。
【００１１】
本発明に係る歯科技工装置は、空気が噴射する向きを調節する調節構造が、前記第二噴射部に備えられた、ことを特徴とする。この構成により、第二噴射部の向きが変化し、空気の噴射する向きが、作業者の作業位置に応じて調節される。
【００１２】
本発明に係る歯科技工装置は、前記観察面に帯電防止機能が備えられた、ことを特徴とする。この構成により、静電気が観察面に帯電しないため、切削屑が静電気によって観察面に付着することが抑止される。
【００１３】
本発明に係る歯科技工装置は、前記観察面を除いた前記カバー部が非透過である、ことを特徴とする。この構成により、観察面２５を除いて、作業空間における切削屑の飛散状態が、カバー部の外側から視認し辛くなる。作業時において観察面は、常に第１噴射部から空気が噴射されているため、観察面の周囲は、切削屑が飛散し辛い。すなわち、作業において、観察面の周囲以外に飛散した切削屑を、作業者が視認し辛くなり、作業者が切削屑に捕らわれることが抑止される。
【００１４】
本発明に係る歯科技工装置は、前記第一噴射部および前記第二噴射部に外気を給気する給気手段が備えられた、ことを特徴とする。この構成により、給気手段が第一噴射部および第二噴射部に給気する空気が、常に外気であり、換言すれば、吸気口で吸引された空気が循環して各噴射部に給気されることがない。
【発明の効果】
【００１５】
本発明に係る歯科技工装置によれば、作業者の視界を良好に維持して作業の効率を良くすることができる。
【図面の簡単な説明】
【００１６】
【図１】本発明の第一実施形態に係る歯科技工装置が示され、（ａ）はカバー部が取り付けられた状態の外観斜視図、（ｂ）はカバー部が外された状態の外観斜視図である。
【図２】本発明の第一実施形態に係る歯科技工装置においてカバー部が取り付けられた状態が示され、（ａ）は上方から視した平面図、（ｂ）は前方から視した正面図、（ｃ）は右方から視した右側面図である。
【図３】本発明の第一実施形態に係る歯科技工装置においてカバー部が外された状態が示され、（ａ）は平面図、（ｂ）は正面図、（ｃ）は右側面図である。
【図４】本発明の第一実施形態に係る歯科技工装置における気流を説明するための説明図である。
【図５】本発明の第二実施形態に係る歯科技工装置が示され、（ａ）は平面図、（ｂ）は正面図、（ｃ）は右側面図である。
【図６】本発明の第二実施形態の変形例に係る歯科技工装置が示され、（ａ）は平面図、（ｂ）は正面図、（ｃ）は右側面図である。
【図７】本発明の第三実施形態に係る歯科技工装置が示された右側面図である。
【発明を実施するための形態】
【００１７】
以下に、本発明の第一実施形態に係る歯科技工装置を図面に基づいて説明する。図１、図２および図３は、本発明の第一実施形態に係る歯科技工装置１０が示されている。なお、以下の説明では、図１を基準として、設置面に対して垂直方向を、歯科技工装置１０における高さ方向の上下とし、歯科技工装置１０の正面側を前方とし、背面側を後方とし、左右側面側を左方および右方とする。
【００１８】
図１から図３に示されているとおり、歯科技工装置１０は、次の各部から構成されている。すなわち、歯冠補綴に用いられる補綴物（図示省略）を切削する際の作業空間３が上端に形成された本体装置１１と、作業空間３を覆うカバー部１９と、作業空間３に備えられた第一噴射部１３および第二噴射部１５とから、歯科技工装置１０が構成されている。
【００１９】
本体装置１１は、高さ方向に長手の六面体であり、コンプレッサなどの給気手段（図示省略）が内蔵されている。給気手段によって外気が吸引され、第一噴射部１３および第二噴射部１５に外気が供給される。なお、給気手段は必ずしもコンプレッサなどに限定されず、例えば、被施術者を施術する際に用いられる歯科治療装置（図示省略）が本体装置１１と接続され、歯科治療装置から給気される構成であってもよい。
【００２０】
本体装置１１の上端は、作業台１２が形成され、この作業台１２がカバー部１９で覆われることで作業空間３が形成されている。作業空間３のうち、作業台１２の後方側に第一噴射部１３および第二噴射部１５が取り付けられ、作業台１２の前方側に吸気口１８が形成されている。吸気口１８は、本体装置１１に内蔵された吸気源（図示省略）に接続されている。なお、歯科治療装置が本体装置１１と接続され、歯科治療装置が吸気源であってもよい。
【００２１】
カバー部１９は箱形であり、作業台１２の前方を覆う前面部２０と、この前面部２０の上端に連接されて後方に向けて傾斜した傾斜面部２１と、この傾斜面部２１の上端に連接された上面部２２と、この上面部２２の後端に連接されて作業台１２の後方を覆う後面部２３と、前面部２０、傾斜面部２１、上面部２２および後面部２３に連接されて互いに対面した一対の側面部２４とから形成されている。カバー部１９のすべての角は丸みがつけられている。なお、カバー部１９は透明であるが、観察面２５を除いた前面部２０、傾斜面部２１、上面部２２、後面部２３および側面部２４が、非透過であることが好ましい。また、カバー部１９はドーム形状であってもよい。
【００２２】
傾斜面部２１は、作業者（図視省略）が作業空間を外側から観察するための観察面２５が備えられている。観察面２５の内面は、帯電防止機能が備えられている。帯電防止機能は、例えば、帯電防止剤が観察面２５の内面に塗布され、または、帯電防止機能が備わったフィルムが観察面２５の内面に張り付けられることなどによって実現される。
【００２３】
両側面部２４は、作業空間３で作業をするために作業者が手を通すための開口部２６が形成されている。なお、作業者が手を通す妨げとならない限り、また、作業空間３における作業の妨げとならない限り、さらに、切削屑が外側に飛散するのを防ぐことができる限り、開口部２６の大きさは任意である。
【００２４】
第一噴射部１３および第二噴射部１５はノズルであり、先端がそれぞれ異なる向きに向けられている。第一噴射部１３は、作業台１２から後面部２３の途中まで上方に立ち上がると共に先端の第一噴射口１４が前方に向けて屈曲し、側面から視して、ほぼ“Ｌ”字形に形成されている。すなわち、第一噴射口１３は観察面２５に対面して向けられている。
【００２５】
第二噴射部１５は、作業台１２から上方に立ち上がると共に先端の第二噴射口１６が斜め下方に向けて屈曲し、側面から視して、ほぼ“Ｖ”字形に形成されている。すなわち、第二噴射口１６は吸気口１８に向けられている。第二噴射部１５は、空気が噴射する向きを調節する調節構造１７が備えられている。調節構造１７は、例えば蛇腹状の管などによって実現される。
【００２６】
吸気口１８は、第一噴射部１３から噴射されて観察面２５からカバー部１９に沿って流れる空気の下流に配置されている。
【００２７】
上記のとおり、第一実施形態に係る歯科技工装置１０が構成されている。作業の際、作業者は、片方の手で補綴物を持ち、もう片方の手でハンドピースなどを持ち、カバー部１９の開口部２６に腕を通し、作業空間３で補綴物を切削する。切削屑は作業空間３内で飛散するが、給気手段が稼働することで外気が供給されると、第一噴射部１３および第二噴射部１５から空気が噴射され、風圧によって切削屑が除去される。吸気口１８から吸気されると、作業空間が負圧となり、除去された切削屑は、空気と共に吸気口１８に吸引される。
【００２８】
ここで、歯科技工装置１０の動作を図面に基づいて詳説する。図４は、第一実施形態に係る歯科技工装置１０の断面における気流が示されている。
【００２９】
図４において、給気手段が稼働すると、第一噴射部１３および第二噴射部１５から空気が噴射される。第一噴射部１３から噴射された空気は、第一気流１に従って流れる。詳説すれば、空気は、観察面２５に向けて前方に流れ、観察面２５の内面に当たる。したがって、観察面２５の内面に付着した切削屑が、風圧によって除去される。観察面２５が形成された傾斜面部２１は作業台１２対して傾斜しているため、観察面２５に当たった空気は、切削屑と共に給気口１８に向けて下方に流れる。したがって、空気と共に切削屑が吸気口１８に吸引される。
【００３０】
また、第二噴射部１５から噴射された空気は、第二気流２に従って流れる。詳説すれば、補綴物が第二噴射部１５の前方に配置されると、切削屑が風圧によって除去される。同時に、切削の際に発熱した補綴物は放熱して冷やされる。また、空気は、吸気口１８に向けて斜め下方に流れる。したがって、作業空間３内で飛散した切削屑が、第二気流２に乗って吸気口１８まで運ばれ、空気と共に吸気口１８に吸引される。
【００３１】
次に、第一実施形態の効果を説明する。
【００３２】
上記したとおり、第一実施形態によれば、本体装置１１の作業台１２とカバー部１９とで覆われることで作業空間３が形成されている。作業空間３のうち、作業台１２の後方側に取り付けられた第一噴射部１３は、作業台１２から後面部２３の途中まで上方に立ち上がると共に先端の第一噴射口１４が前方に向けて屈曲し、観察面２５に対面して向けられている。作業台１２の前方に形成された吸気口１８は、第一噴射部１３から噴射されて観察面２５からカバー部１９に沿って流れる空気の下流に配置されている。
【００３３】
この構成により、第一噴射部１３から噴射された空気が観察面２５の内面に当たり、切削屑が、風圧によって観察面２５から除去される。観察面２５に当たった空気の下流には、吸気口１８が形成されているため、空気が観察面２５から吸気口１８に向けて流れ、この第一気流１によって、切削屑が吸気口１８に向けて流れ、吸気口１８に吸引される。したがって、作業者の視界を良好に維持して作業の効率を良くすることができる。
【００３４】
第一実施形態によれば、作業空間３のうち、作業台１２の後方側に取り付けられた第二噴射部１５は、作業台１２から上方に立ち上がると共に先端の第二噴射口１６が斜め下方に向けて屈曲し、吸気口１８に向けられている。この構成により、第二噴射部１５から噴射された空気が吸気口１８に向けて流れるため、この第二気流２によって、作業空間３中で飛散した切削屑が吸気口１８に向けて流れ、吸気口１８に吸引される。したがって、作業者の視界を良好に維持して作業の効率を良くすることができる。
【００３５】
第一実施形態によれば、第二噴射部１５は、空気が噴射する向きを調節する調節構造１７が備えられている。この構成により、第二噴射部１５の向きが変化し、空気の噴射する向きが、作業者の作業位置に応じて調節される。したがって、作業空間３において、作業者ごとに異なる任意の作業位置であっても、作業者の視界を良好に維持して作業の効率を良くすることができる。
【００３６】
第一実施形態によれば、観察面２５の内面は、帯電防止機能が備えられている。この構成により、静電気が観察面２５に帯電しないため、切削屑が静電気によって付着することが抑止される。したがって、作業者の視界を良好に維持して作業の効率を良くすることができる。
【００３７】
第一実施形態によれば、本体装置１１に内蔵された給気手段によって外気が吸引され、第一噴射部１３および第二噴射部１５に外気が供給される。この構成により、給気手段が各噴射部１３，１５に給気する空気が、常に外気であり、換言すれば、吸気口１８で吸引された空気が循環して各噴射部１３，１５に給気されることがなく、補綴物から発生した臭気が吸気口１８から吸引されて循環することが妨げられる。したがって、作業者が臭気を感じることを抑止することができる。
【００３８】
第一実施形態によれば、カバー部１９は箱形であり、作業台１２の前方を覆う前面部２０と、この前面部２０の上端に連接されて後方に向けて傾斜した傾斜面部２１と、この傾斜面部２１の上端に連接された上面部２２と、この上面部２２の後端に連接されて作業台１２の後方を覆う後面部２３と、前面部２０、傾斜面部２１、上面部２２および後面部２３に連接されて互いに対面した一対の側面部２４とから形成されている。この構成により、傾斜面部２１および観察面２５が、作業者の視線に対して垂直な平面となるため、カバー部がドーム形状などである場合と比較して、作業空間３が歪んで観察されることが抑止される。
【００３９】
なお、上記した第一実施形態の他、カバー部１９がドーム形状であれば、第一噴射部１３から噴射した空気がカバー部１９の内面に沿って流れるため、第一気流１が円滑となり、円滑に切削屑が吸気口１８に集められる。したがって、作業者の視界を良好に維持して作業の効率をさらに良くすることができる。
【００４０】
また、カバー部１９は、観察面２５を除いた前面部２０、傾斜面部２１、上面部２２、後面部２３および側面部２４が、非透過であれば、観察面２５を除いて、作業空間３内における切削屑の飛散状態が、各面部２０から２４の外側から視認し辛くなる。作業時において観察面２５は、常に第１噴射部１３から空気が噴射されているため、観察面２５の周囲は、切削屑が飛散し辛い。すなわち、作業において、観察面２５の周囲以外に飛散した切削屑を、作業者が視認し辛くなり、作業者が切削屑に捕らわれることが抑止される。したがって、作業者の視界を良好に維持して作業の効率をさらに良くすることができる。
【００４１】
次に、本発明の第二実施形態を図面に基づいて説明する。図５は、本発明の第二実施形態に係る歯科技工装置３０が示され、図６は、第二実施形態の変形例に係る歯科技工装置４０が示されている。なお、以下の説明では、上記した第一実施形態に係る歯科技工装置１０と異なる構成のみが説明され、同様の構成は、第一実施形態と同一の符号を図面に付して、説明を適宜省略する。
【００４２】
図５に示されているとおり、歯科技工送装置３０は、カバー部１９の内面に誘導板３１が形成されている。誘導板３１は、観察面２５の周囲を囲うと共に、傾斜面部２１の内面から内側に向けて突出している。詳説すれば、観察面２５の上方に配置されて左右に伸びた上部板３２と、この上部板３２の両端に連接されて傾斜面部２１の下端に向けて伸びた一対の側部板３３とから誘導板３１が構成されている。誘導板３１の高さは、傾斜面部２１の端から開口部２６の縁までの間隔に収まる限り任意である。
【００４３】
また、図６に示されているとおり、歯科技工送装置４０は、誘導板３１が観察面２５の周囲から吸気口１８に向けて伸びている。詳説すれば、側部板３３の下端に連接されて前面部２０の下端に至って伸びた一対の第二側部板３４が形成されている。第二側部板３４は、吸気口１８に向かうにつれて徐々に間隔が狭まっている。
【００４４】
第二実施形態および第二実施形態の変形例によれば、第一噴射部１３によって形成された第一気流１は、カバー部１９に沿って流れる際、誘導板３１に沿って吸気口１８に向けて案内され、切削屑が吸気口１８に吸引される。したがって、作業者の視界を良好に維持して作業の効率を良くすることができる。
【００４５】
次に、本発明の第三実施形態を図面に基づいて説明する。図７は、本発明の第三実施形態に係る歯科技工装置５０が示されている。なお、以下の説明では、上記した第一実施形態に係る歯科技工装置１０と異なる構成のみが説明され、同様の構成は、第一実施形態と同一の符号を図面に付して、説明を適宜省略する。
【００４６】
図７に示されているとおり、歯科技工装置５０の第一噴射部５１は、作業台１２からカバー部１９の上面部に至って上方に立ち上がると共に、先端の第一噴射口５２が前方に向けて屈曲し、上面部に沿って観察面２５の縁に至って伸びている。すなわち、第一噴射口５２は斜め上方から観察面２５に向けられている。
【００４７】
第三実施形態によれば、第一噴射部１３から噴射された空気が、上面部２２に沿って斜め上方から観察面２５の内面に当たり、切削屑が、風圧によって観察面２５から除去される。したがって、作業者の視界を良好に維持して作業の効率を良くすることができる。
【００４８】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００４９】
１                      第一気流
２                      第二気流
３                      作業空間
１０，３０，４０，５０  歯科技工装置
１１                    本体装置
１２                    作業台
１３，５１              第一噴射部
１４，５２              第一噴射口
１５                    第二噴射部
１６                    第二噴射口
１７                    調節構造
１８                    吸気口
１９                    カバー部
２０                    前面部
２１                    傾斜面部
２２                    上面部
２３                    後面部
２４                    側面部
２５                    観察面
２６                    開口部
３１                    誘導板
３２                    上部板
３３                    側部板
３４                    第二側部板
【図１】
2017217043.tif 000003
【図２】
2017217043.tif 000004
【図３】
2017217043.tif 000005
【図４】
2017217043.tif 000006
【図５】
2017217043.tif 000007
【図６】
2017217043.tif 000008
【図７】
2017217043.tif 000009